(57)【特許請求の範囲】
【請求項１】
装着衣本体の前身ごろにポケットが設けられた身体装着衣であって、ポケットに設けられた開口部の少なくとも上端部が斜め下方に傾斜しており、開口部をその上端部から開放あるいは閉鎖するスライドファスナを設けるとともに、スライドファスナのスライダの操作開始方向を斜め下方に向けて降ろすようにして前記開口部を開閉するようにしている身体装着衣において、
前記ポケットを正面視して上部が幅狭で下部が幅広となる形状に形成し、前記装着衣本体とポケットの前面とを装着衣本体の合わせ部側の上部に第一まち部を介して連設するとともに該第一まち部の下方に開口部を設け、第一まち部をポケットの開口部に遠のく方向である斜め上方に向けて幅広から幅狭に収束する形状に形成していることを特徴とする身体装着衣。
【請求項２】
開口部の上部に、装着衣本体丈方向に対して装着衣本体の合わせ部に対する左右方向外側から合わせ部側へ向けて斜め下方に沿った傾斜開口領域を設け、該傾斜開口部をその上端部から開放あるいは閉鎖する構成としていることを特徴とする請求項１記載の身体装着衣。
【請求項３】
スライダの操作の開始方向を装着衣本体の左右幅方向に対して３０°より大きく設定していることを特徴とする請求項１または請求項２記載の身体装着衣。
【請求項４】
装着衣本体とポケットの前面とをポケットの下部左右方向の第二まち部を介して連接するとともに装着衣本体とポケットの前面とを合わせ部に対する左右方向外側で上下方向の第三まち部を介して連接し、第三まち部を上方に向けて幅広から幅狭に収束する形状に形成していることを特徴とする請求項１ないし請求項３の何れかに記載の身体装着衣。
【請求項５】
スライダの斜め下方へ向けての操作の開始部が装着衣本体の肩部の左右幅方向内に位置していることを特徴とする請求項１ないし請求項４の何れかに記載の身体装着衣。
【請求項６】
開口部に合わせ部側に向けて突出する湾曲形状領域を設けていることを特徴とする請求項１ないし請求項５の何れかに記載の身体装着衣。
【請求項７】
ポケットは身体の胸部に対応する位置に配置した胸ポケットであることを特徴とする請求項１ないし請求項６の何れかに記載の身体装着衣。
【発明の詳細な説明】
【技術分野】
【０００１】
本発明は、魚釣りの際に着用するフローティングベストや鮎釣りの際に装着する鮎ベストなどの身体装着衣に関する。
【背景技術】
【０００２】
従来、この種の身体装着衣は釣行の際に携行するタックル等の釣具を収納するためのポケットを有している（例えば、特許文献１参照）。この身体装着衣はポケット（例えば胸ポケット）を備えており、ポケットの開口部は、ほぼ水平方向の幅方向開口領域とこの幅方向開口領域につながる丈方向の開口領域を有して、これら開口領域に沿うようスライドファスナを設けている。
【０００３】
このような身体装着衣において、例えば開口部を閉鎖した状態から開放を開始する際には、まずスライドファスナのスライダを幅方向開放領域に沿うよう水平方向に移動させて開口部を開放する。
【特許文献１】特開２００３−１２９３１１号公報
【発明の開示】
【発明が解決しようとする課題】
【０００４】
しかしながら、上記のようなポケットではスライドファスナの開閉をほぼ水平な幅方向から開始しなければならない。したがって、スライドファスナの開閉の開始操作がし難い。このような問題は釣用の身体装着衣に限らずスライドファスナを用いてポケットの開口部を開閉する身体装着衣に共通の課題といえる。
【０００５】
そこで本発明は上記課題に鑑み、スライドファスナの開閉の操作がし易い身体装着衣の提供することを課題とする。
【課題を解決するための手段】
【０００６】
本発明は、装着衣本体の前身ごろにポケットが設けられた身体装着衣であって、ポケットに設けられた開口部の少なくとも上端部が斜め下方に傾斜しており、開口部をその上端部から開放あるいは閉鎖するスライドファスナを設けるとともに、スライドファスナのスライダの操作開始方向を斜め下方に向けて降ろすようにして前記開口部を開閉するようにしている身体装着衣において、前記ポケットを正面視して上部が幅狭で下部が幅広となる形状に形成し、前記装着衣本体とポケットの前面とを装着衣本体の合わせ部側の上部に第一まち部を介して連設するとともに該第一まち部の下方に開口部を設け、第一まち部をポケットの開口部に遠のく方向である斜め上方に向けて幅広から幅狭に収束する形状に形成していることを特徴としている。
【０００７】
上記構成によれば、開口部を開放あるいは閉鎖する際にスライドファスナのスライダを斜め下方に操作すればよいからスライダのすべり方向の抵抗が小さく、したがって、水平方向に開閉開始の操作をする場合に比べてスライドファスナの操作がし易く楽であり、スライドファスナの開閉操作時に、着用者は装着衣本体の一部やポケットの一部を摘んで保持しておくという余計な動作をすることが不要となる。また、上記構成のように第一まち部をポケットの開口部に遠のく方向である斜め上方に向けて幅広から幅狭に収束させることにより、スライダを斜め下方に向けて操作する際に、その操作力が第一まち部の収束している側で支持され、且つ第一まち部の収束している側は前後方向の幅が幅狭であることから該操作力によってポケットがひしゃげてしまうような状態を抑制し（ポケットの形状を維持し易く）、したがってまち部を有するポケットであってもファスナの開閉開始の操作がし易い。
【０００８】
本発明の身体装着衣は、開口部の上部に、装着衣本体丈方向に対して装着衣本体の合わせ部に対する左右方向外側から合わせ部側へ向けて斜め下方に沿った傾斜開口領域を設け、該傾斜開口部をその上端部から開放あるいは閉鎖する構成としていることが好ましい。
【０００９】
この構成によれば、着用者が身体装着衣を装着した状態で開口部開閉のためのスライドファスナの操作をきわめてし易くなる。
【００１０】
本発明の身体装着衣は、スライダの操作の開始方向を装着衣本体の左右幅方向に対して３０°より大きく設定していることが好ましい。
【００１１】
このようにスライダの操作の開始方向を上記角度に設定した構成により、着用者が身体装着衣を装着した状態で開口部開閉のためのスライドファスナの操作をきわめてし易くなる。
【００１２】
本発明の身体装着衣では、ポケットは装着衣本体の前身ごろにまち部を介して連設されていることが好ましい。
【００１３】
上記構成において、まち部によってポケットの収納空間を担保する。また、まち部があるポケットでは、スライダを操作するとまち部が引かれて装着衣本体の前面に対してひしゃげたり、ぶれたりする傾向にあるためスライダを円滑に操作することが難しくなる。しかし、開口部を開放あるいは閉鎖する際にはスライダを斜め下方に操作すればよいから、まち部を有するポケットであっても、開閉操作する着用者は装着衣本体の一部やポケットの一部を摘んで保持しておくという余計な動作をすることがほとんど不要であり、したがってまち部を有するポケットであっても、スライドファスナのスライダを水平方向に開閉開始する場合に比べて操作がし易い。
【００１６】
本発明の身体装着衣は、装着衣本体とポケットの前面とをポケットの下部左右方向の第二まち部を介して連接するとともに装着衣本体とポケットの前面とを合わせ部に対する左右方向外側で上下方向の第三まち部を介して連接し、第三まち部を上方に向けて幅広から幅狭に収束する形状に形成していることが好ましい。
【００１７】
上記構成において、まち部によってポケットの収納空間を担保する一方で、第一まち部と第三まち部によってポケットの上部は前後方向の幅が幅狭となるから、スライダを斜め下方に向けて操作する際の操作力によってポケットがひしゃげてしまう状態を抑制し、したがってまち部を有するポケットであってもファスナの開閉開始の操作がし易い。
【００１８】
本発明の身体装着衣は、スライダの斜め下方へ向けての操作の開始部が装着衣本体の肩部の左右幅方向内に位置していることが好ましい。
【００１９】
上記構成によれば、スライダを斜め下方に向けて操作する際の操作力を肩部で支持することになって、その分だけ操作が円滑で楽になる。
【００２０】
本発明の身体装着衣は、そのポケットに開口部に合わせ部側に向けて突出する湾曲形状領域を設けていることが好ましい。
【００２１】
上記構成によれば、湾曲形状領域を設けている分だけ合わせ部側を斜め直線形状に形成する場合に比べてポケットの収容体積が担保される。
【００２２】
本発明の身体装着衣では、ポケットは身体の胸部に対応する位置に配置した胸ポケットであることが好ましく、スライダが胸部にあることになるから、身体装着衣が無理な姿勢をとることなくスライドファスナの操作が楽に行える。
【発明の効果】
【００２３】
本発明によれば、開口部を開放あるいは閉鎖する際にスライドファスナのスライダを斜め下方に操作すればよいから、開閉操作する着用者は装着衣本体の一部やポケットの一部を摘んで保持しておくという余計な動作を不要とすることが可能となり、したがって水平方向に開閉開始の操作をする場合に比べて、操作がし易くなる。
【発明を実施するための最良の形態】
【００２４】
以下、本発明の実施形態に係る身体装着衣は、磯釣りの際に装着されるフローティングベストや、鮎釣りの際に装着される鮎釣り用ベスト等であり、ここではフローティングベストを例に説明する。図１は身体装着衣の正面図、図２は胸ポケットの要部拡大斜視図でスライドファスナを開いた状態の斜視図、図３は要部をさらに拡大した状態の上方からの斜視図、図４は下方からの斜視図、図５は胸ポケットの側面図である。
【００２５】
図１に示すように、身体装着衣１の装着衣本体２は前身ごろ３と後身ごろ４と、前記前身ごろ３と前記後身ごろ４を連設して所定の左右方向幅Ｌを有する肩部６とを備えている。前身ごろ３は右前身ごろ３Ａと左前身ごろ３Ｂとからなる。前身ごろ３および後身ごろ４の内部に、不図示の浮力材を着脱自在に設けている。この身体装着衣１は、右前身ごろ３Ａおよび左前身ごろ３Ｂの左右方向中心に縫着した着脱用スライドファスナ７を開閉することで、釣人の身体に着脱するタイプのものである。また、図示しないが、身体装着衣１の前身ごろ３には釣人が海上に投げ出された際に釣人の身体を浮上させる浮力材が装着されている。さらに、身体装着衣１を釣人が装着した際にこれを釣人の身体にフィットさせるとともに、海上に投げ出された際に釣人の身体から大きく離れないようにするために釣人の股に掛ける股ベルトを備える。
【００２６】
右前身ごろ３Ａおよび左前身ごろ３Ｂの前面には、上ポケット１１（以下「胸ポケット」と称す）、下ポケット１２をそれぞれ備えている。これらポケット１１，１２の構成はそれぞれ左右で対称構造であるだけなので、この実施形態では左前身ごろ３Ｂの各ポケット１１，１２の説明で右前身ごろ３Ａの各ポケット１１，１２の説明を兼用するものとする。左右の前身ごろ３Ａ，３Ｂの前面（外皮）、各ポケット１１，１２を形成するベース基材として、ポリエステルまたはナイロン等の織物または編物が用いられている。
【００２７】
図２および図３に示すように、胸ポケット１１は左前身ごろ３Ｂの胸部に相当する領域に位置して左前身ごろ３Ｂの前面生地２５にまち部１５を介してその前面生地１１Ｂが縫着されている。図１に戻り、下ポケット１２は左前身ごろ３Ｂの腹部に相当する領域に位置して左前身ごろ３Ｂの前面生地２５にまち部１６を介して縫着されている。
【００２８】
胸ポケット１１および下ポケット１２はそれぞれ収納空間１１Ａ，１２Ａを有し、スライドファスナ８，９によって開口部３５，３８が開閉されるものであり、またこれらそれぞれの収納空間１１Ａ，１２Ａは、スライドファスナ８，９によってのみ開閉される構成で、それぞれ前記まち部１５，１６の深さに応じた容積を有する。なお、各ポケット８，９の収納空間１１Ａ，１２Ａを構成する後面生地２０，２１は左前身ごろ３Ｂの前面生地２５をそのまま用いている。スライドファスナ８，９のスライダ３０，３１はそれぞれ引手３２，３３を備えている。
【００２９】
ここで、胸ポケット１１について詳述する。胸ポケット１１は、正面視して上部が幅狭で、下部が幅広となる形状（例えば台形形状）に形成されている。胸ポケット１１の開口部３５は合わせ部３６側に配置され、開口部３５の上部のうち少なくとも上端部が合わせ部３６に向けて斜め下方向けて配置されており、且つ開口部３５は合わせ部３６側に突出するするよう湾曲しつつ傾斜した傾斜開口領域４０を有し、この傾斜開口領域４０の下方に連続して丈方向に沿う丈方向領域４１を有している。丈方向領域４１は胸ポケット１１の下端隅部１１ａまでには至らず、所定高さＨに設定された非開放領域３７を有する。
【００３０】
次に、左前身ごろ３Ｂの前面生地２５と胸ポケット１１を縫着により連設する前記まち部１５について詳述する。まず、まち部１５は第一まち部材４５と第二まち部材４６と第三まち部材４７とからなる。装着衣本体２と胸ポケット１１の前面生地２５とは装着衣本体２の合わせ部３６側の上部に第一まち部材４５を介して連設されている。該第一まち部材４５の斜め下方に前記開口部３５が配置されている。該第一まち部材４５は胸ポケット１１の開口部３５に遠のく方向である斜め上方に向けて幅広から幅狭に収束して頂点部４５ａで幅無し（ゼロ幅）とする三角形状に形成されている。この頂点部４５ａはほぼ肩部６にまで至る。尚、第一まち部材４５は生地（撥水性を有する）からなるから、三角形状に裁断されてなるものの前後方向の力が働くと容易に深さ方向に潰れ易い。あるいは、予め深さ方向に潰すように三角錘形状に形成しておくことも可能である。このようにすることにより、潰しの部分をなくすよう前後方向に引けば、いっそう前後方向に深いまち部材が得られる。
【００３１】
装着衣本体２の前面生地２５と胸ポケット１１の下部とは、左右方向の前記第二まち部４６を介して連接されている。装着衣本体２と胸ポケット１１の前面生地２５とは合わせ部３６に対して左右方向外側で上下方向の前記第三まち部材４７を介して連接されている。第三まち部材４７は上方に向けて幅広から幅狭に収束して頂点部４７ａで幅無しとする三角形状に形成されている。
【００３２】
前記スライドファスナ８は、前記開口部３５をその上端部から開放（あるいは閉鎖）するものである。このスライドファスナ８は、そのスライダ３０の操作開始方向はスライドファスナ８のすべり方向の抵抗を可及的に少なくするよう所定角度θ１で斜め下方に向けて降ろすように構成されている。この場合の斜め下方の所定角度θ１は、スライダ３０の操作の開始方向が装着衣本体２の左右幅方向に対して３０°より大きい角度（丈方向である上下方向に沿うようには至らない）である。スライドファスナ８は開口部３５を開閉自在とするから、開口部３５の傾斜角度もスライドファスナ８の傾斜角度と同一に設定されている。そして所定角度θ１は、正面視して装着衣本体２の衿部５０の傾斜角度θ２に比べてわずかに小さい。しかし、所定角度θ１は傾斜角度θ２にほぼ沿う角度であってもよい。
【００３３】
図５に示すように、胸ポケット１１に収容物を収容して第一まち部材４５の前後幅がほぼ最大になった際、第一まち部材４５の頂点部４５ａとスライドファスナ８の上端部（スライドファスナ８の操作開始部）８ａとを結ぶ仮想の直線Ｐは、左前身ごろ３Ｂの前面生地２５（垂直面）に対して所定角度θ３となるよう前方に向けて下傾斜してなる。
【００３４】
上記構成において、釣人である身体装着衣１の使用者は、スライドファスナ７を開いて身体装着衣１を身体に装着する。身体装着衣１は主として胸ポケット１１、下ポケット１２には釣行に（釣場で）必要なタックル等の被収納物を収納する。
【００３５】
胸ポケット１１に被収納物を収納する際には、引手３２を摘んでスライダ３０を移動さることで開口部３５を開放する。このとき、スライダ３０の操作開始方向は、スライドファスナ８のすべり方向の抵抗を可及的に少なくするよう斜め下方に向けて降ろすよう所定角度θ１に設定されているから、例えば身体装着衣１の一部や胸ポケット１１の左右幅方向外側部を手指で摘んで保持しておくような余計な（無理な）姿勢をとることなく楽にスライダ３０を降ろすことが可能であり、楽な動作で開口部３５を開放することが可能となる。
【００３６】
さらに、上記したように、第一まち部材４５は胸ポケット１１の開口部３５に遠のく方向である斜め上方に向けて幅広から幅狭に収束して頂点部で幅無しとする三角形状に形成されている。また、第三まち部材４７は上方に向けて幅広から幅狭に収束して頂点部で幅無しとする三角形状に形成されていることで、上方にむけて漸次容積が減少する構成となっている。特に、第一まち部材４５が上記のような三角形状となっていることにより、第一まち部材４５はその前後幅（深さ）が減少している。したがって、スライダ３０を降ろす操作をした際に、まち部の前後端辺どうしが平行な帯状に形成した場合に比べて、まち部の倒れ量や、ぶれ量が少なくなる。したがってその分だけ、いっそう楽にスライダ３０を降ろすことが可能となる。
【００３７】
第一まち部材４５の頂点部４５ａおよび第三まち部材４７の頂点部４７ａを幅無しとすることによれば、まち部材の前後端辺を平行としてまち部材を帯状に形成した場合に比べて胸ポケット１１の収納空間１１Ａの容積は小さくなる。しかし、開口部３５の傾斜開口領域４０を湾曲させ、第一まち部材４５の頂点部４５ａを肩部６に至るよう延長することで、著しく収納空間１１Ａの容積が極端に小さくなってしまうことを効果的に抑えることができている。
【００３８】
開口部３５を閉鎖する際は、スライダ３０を上げるよう操作する。このとき、はスライダ３０より下側の重量が働いており、さらに股ベルトによって装着衣本体２の上動は抑えられるくから、難なく開口部３５を閉鎖することが可能である。
【００３９】
また、丈方向領域４１は胸ポケット１１の下端隅部１１ａまでには至らず、所定高さＨに設定された非開放領域３７を有しているから、開口部３５を全て開放しても収容物は胸ポケット１１からは落下し難い。なお、傾斜開口領域４０、丈方向領域４１の長さは設定する所定角度θ１、胸ポケット１１の丈方向長さに応じて変化することになる。
【図面の簡単な説明】
【００４０】
【図１】本発明の実施形態を示す身体装着衣の全体概略正面図。
【図２】同じく胸ポケットの要部拡大斜視図でスライドファスナを開いた状態の斜視図。
【図３】同じく胸ポケットの要部をさらに拡大した状態の上方からの斜視図。
【図４】同じく胸ポケットの下方からの斜視図。
【図５】同じく胸ポケットの側面図。
【符号の説明】
【００４１】
１…身体装着衣、２…装着衣本体、３…前身ごろ、３Ａ…右前身ごろ、３Ｂ…左前身ごろ、４…後身ごろ、６…肩部、８，９…スライドファスナ、１１…胸ポケット（上ポケット）、１１ａ…下端隅部、８，９…スライドファスナ、１２…下ポケット、１５，１６…まち部、２０，２１…後面生地、２５…前面生地、３０，３１…スライダ、３２，３３…引手、３５…開口部、３６…合わせ部、３７…非開放領域、４０…傾斜開口領域、４１…丈方向領域、４５…第一まち部材、４５ａ…頂点部、４６…第二まち部材、４７…第三まち部材、４７ａ…頂点部、５０…衿部、θ１…所定角度、θ２…傾斜角度
【図１】
0004761518.tif 000002
【図２】
0004761518.tif 000003
【図３】
0004761518.tif 000004
【図４】
0004761518.tif 000005
【図５】
0004761518.tif 000006